(57)【要約】【課題】出射される面状光の輝度むらを抑制するとともに、光の利用率を高めることができるバックライトユニット及びこのバックライトユニットを用いた液晶表示装置を提供する。【解決手段】光源３１からの光を側面の受光面２２から受光し、正面側の出光面２１から面状光を出射する導光板２と、導光板２の正面側の周縁部を押える導光板押え部５２を有する正面側押え部材５とを備え、導光板２の出光面２１には凹凸パターン形状の附形２１１が形成されており、導光板押え部５２は、附形２１１と係合可能な凹凸パターンを備えた係合部５２１を備えているバックライトユニット１。【選択図】図３
2015092434.tif 000002
【特許請求の範囲】
【請求項１】
光源からの光を側面の受光面から受光し、正面側の出光面から面状光を出射する導光板と、
前記導光板の正面側の周縁部を押える導光板押え部を有する正面側押え部材とを備え、
前記導光板の前記出光面には凹凸パターン形状の附形が形成されており、
前記導光板押え部は、前記附形と係合可能な凹凸パターンを備えた係合部を備えていることを特徴とするバックライトユニット。
【請求項２】
前記附形は、前記受光面と交差する方向に伸びる凸条及び凹溝を前記受光面に沿う方向に交互に配列した形状を有しており、
前記導光板押え部は、少なくとも前記出光面の前記受光面と隣り合う領域と接触する部分に前記係合部が備えられている請求項１に記載のバックライトユニット。
【請求項３】
前記附形の凸条が三角プリズム形状である請求項２に記載のバックライトユニット。
【請求項４】
前記附形がレンチキュラー形状である請求項２に記載のバックライトユニット。
【請求項５】
前記係合部は、前記附形の凹溝と係合する凸部が前記導光板押え部より突出しており、
前記凸部は弾性変形可能である請求項２から請求項４のいずれか位に記載のバックライトユニット。
【請求項６】
前記係合部は、隣り合う前記凸部の間が不連続である請求項５に記載のバックライトユニット。
【請求項７】
前記正面側押え部材は、少なくとも前記附形と前記係合部との間に配置される反射層を備えている請求項１から請求項６のいずれかに記載のバックライトユニット。
【請求項８】
前記正面側押え部材は、高反射材料で形成されている請求項１から請求項６のいずれかに記載のバックライトユニット。
【請求項９】
請求項１から請求項８のいずれかに記載のバックライトユニットと、
前記バックライトユニットの正面に液晶パネルユニットを備えていることを特徴とする液晶表示装置。
【発明の詳細な説明】
【技術分野】
【０００１】
本発明は、液晶表示装置に関し、液晶表示装置に用いられるバックライトユニットに関する。
【背景技術】
【０００２】
液晶表示装置は、液晶パネルユニットと、前記液晶パネルユニットの背面に配置されるバックライトユニットを備えており、前記液晶パネルユニットが、前記バックライトユニットからの光の透過率（透過量）を調整し、前記液晶パネルユニットの前面に画像を表示している。
【０００３】
前記バックライトユニットには、大きく分けて２つの方式がある。１つは導光板の側面から光を入射させる導光板方式（エッジライト方式）であり、もう１つは液晶モジュールの背面に光源を配置した直下型方式である。
【０００４】
以下に、エッジライト方式のバックライトユニットを備えた液晶表示装置について説明する。図９は従来のエッジライト方式のバックライトユニットを用いた液晶表示装置の断面図であり、図１０は図９に示すバックライトユニットのＸ―Ｘ線断面図である。図９に示すように、エッジライト方式のバックライトユニット９１は、複数個の光源（ＬＥＤ）が並んで配置された光源ユニット９３と、光源ユニット９３から出射された光を側面の受光面９２２から受光し、一方の主面の出光面９２１より面状光を出射する導光板９２と、導光板９２の出光面９２１に隣接して配置された光学シート９４とを備えている。そして、これらの部材は、筐体９７の内部に配置されている。
【０００５】
図９に示すように、液晶表示装置では、導光板９２及び光学シート９４の正面側の周縁部を押えるように正面側押え部材９５が配置されており、正面側押え部材９５の正面側に液晶パネルユニット９６が配置されている。導光板９２の出光面９２１より出射された面状光は、液晶パネルユニット９６に入射しており、液晶パネルユニット９６は面状光を変調することで映像を形成する。
【０００６】
上述した通り、液晶表示装置では、面状光を変調して画像を形成しているので、前記面状光の輝度が高く、また、輝度の均一性が高いほど、画像の品質が高くなる。また、受光面９２２から入射した光は、出光面９２１に対して大きな入射角で入射する。出光面９２１に対する入射角が臨界角を超えている場合、光は出光面９２１で全反射し出光面９２１から光が出射しにくく、面状光の輝度むらの原因となる。そのため、液晶表示装置では、面状光の輝度むらを抑制し正面側における輝度を向上させるため、導光板９２の出光面９２１に凹凸形状を形成したものが提案されている（例えば、特開２０１１−１００７２８号公報等参照）。
【０００７】
導光板９２では、通常、反射面９２３に立上げ部が形成されており、導光板９２の内部の光の進行方向を、出光面９２１に向くようにしている。導光板９２では、立上げ部の形状及び（又は）密度を調整することで、出光面９２１に向かう光の輝度を均一化している。また、出光面９２１に形成された凹凸形状９２４は、プリズムとして作用するものであり、凹凸形状９２４を透過する光は、正面に向けて集光される。これにより、出光面９２１より出射される光の輝度を高めている。
【先行技術文献】
【特許文献】
【０００８】
【特許文献１】特開２０１１−１００７２８号公報
【発明の概要】
【発明が解決しようとする課題】
【０００９】
バックライトユニット９１では、正面側押え部材９５が導光板９２の出光面９２１の周縁部と接触している。導光板９２の出光面９２１に凹凸形状９２４が形成されていることから、出光面９２１と正面側押え部材９５との接触部分には、隙間が形成されてしまう（図１０参照）。この凹凸形状９２４と光学シート９４との接触部分は、光源ユニット９３の近傍にも形成されており、光源ユニット９３の光源から出射された光のうち受光面９２２から導光板９２の内部に入射しなかった光の一部がこの隙間を通って漏れる。
【００１０】
この隙間から漏れた光（漏れ光）の一部は、正面側押え部材９５と光学シート９４との隙間を通過し、すなわち、光学シート９４を通過することなしに液晶パネルユニット９６に入射する場合がある。バックライトユニット９１において、出光面９２１より出射された面状光は光学シート９４を通過することで均一化されているが、上述の漏れ光のように光学シート９４を通過しない光があると、輝度が均一化されず輝度むらが発生し、面状光の品質が低下する。また、この漏れ光を吸収するように光吸収部を備えたバックライトユニットもあるが、光を吸収するので、光の利用率が低下する。
【００１１】
そこで本発明は、出射される面状光の輝度むらを抑制するとともに、光の利用率を高めることができるバックライトユニット及びこのバックライトユニットを用いた液晶表示装置を提供することを目的とする。
【課題を解決するための手段】
【００１２】
上記目的を達成するため本発明は、光源からの光を側面の受光面から受光し、正面側の出光面から面状光を出射する導光板と、前記導光板の正面側の周縁部を押える導光板押え部を有する正面側押え部材とを備え、前記導光板の前記出光面には凹凸パターン形状の附形が形成されており、前記導光板押え部は、前記附形と係合可能な凹凸パターンを備えた係合部を備えていることを特徴とするバックライトユニットを提供する。
【００１３】
この構成によると、正面側押え部材の導光板押え部に、前記導光板の出光面に形成された附形と係合する係合部を備えることで、前記附形と前記導光板押え部との間の隙間をなくし、前記隙間を通過する漏れ光の発生を抑える。
【００１４】
これにより、前記面状光の一部に輝度が高い（或いは低い）部分が発生する、いわゆる、輝度むらを抑制することができ、面状光の品質の低下を抑制することができる。
【００１５】
上記構成において、前記附形は、前記受光面と交差する方向に伸びる凸条及び凹溝を前記受光面に沿う方向に交互に配列した形状を有しており、前記導光板押え部が、少なくとも前記出光面の前記受光面と隣り合う領域と接触する部分に前記係合部を備えている。
【００１６】
前記附形が凸条及び凹溝を受光面に沿う方向に配列した形状であるので、前記附形と前記導光板押え部との隙間は、受光面の近傍に形成される。そのため、前記係合部を少なくとも前記受光面の近傍の領域と接触する部分に形成することで、光源からの光が隙間を通って漏れ光となるのを抑制することが可能である。
【００１７】
上記構成において、前記附形の凸条が三角プリズム形状であってもよいし、前記附形がレンチキュラー形状であってもよい。
【００１８】
上記構成において、前記係合部は、前記附形の凹溝と係合する凸部が前記導光板押え部より突出しており、前記凸部は弾性変形可能である。
【００１９】
この構成によると、附形の形状にばらつきがあったり、一部異なる形状の附形を備えて
いたりしても、前記凸部が前記凹溝に密接するので、前記漏れ光の発生を抑制することができる。また、バックライトユニットの機種によって異なる形状の附形を有する導光板を用いる場合であっても、共通の正面側押え部材を用いることができ、それだけ、設計や製造にかかるコストを削減することが可能である。
【００２０】
上記構成において、前記係合部は、隣り合う前記凸部の間が不連続であってもよい。この構成によると、前記附形の凸条の先端部分が前記導光板押え部の固い部分と接触するので、前記導光板と前記正面側押え部材との間隔を前記凸条の高さに調整できる。これにより、前記正面側押え部材或いは前記導光板がずれたり、傾いたりするのを抑制でき、面状光の輝度むらを抑制できる。
【００２１】
上記構成において、前記正面側押え部材は、少なくとも前記附形と前記係合部との間に配置される反射層を備えていてもよいし、前記正面側押え部材が、高反射材料で形成されていてもよい。
【００２２】
この構成によると、前記受光面から入射した光のうち、臨界角度以下の角度で導光板の光出射面に入射した光は、前記反射層或いは前記正面側押え部材の導光板押え部で導光板の内部に戻されるので、これらの光を面状光の一部として利用可能である。これにより、光源より出射された光の利用率を高めることが可能である。
【００２３】
上記構成のバックライトユニットを用いた装置として、前記バックライトユニットの正面に液晶パネルユニットが備えられている液晶表示装置を挙げることができる。
【発明の効果】
【００２４】
本発明によると、導光板の出光面に附形（プリズム形状、レンチキュラー形状等）を備えていることで、出光面から出射される面状光の輝度を上昇し、光源からの光の利用率を高めることができる。また、導光板とパネルシャーシとの間の隙間を閉じることができるので、導光板とパネルシャーシとの隙間から光が漏れるのを抑制し、面状光の輝度むらを抑制している。
【図面の簡単な説明】
【００２５】
【図１】本発明にかかる液晶表示装置の分解斜視図である。
【図２】図１に示す液晶表示装置の断面図である。
【図３】図２に示す液晶表示装置に用いられるバックライトユニットのＩＩＩ−ＩＩＩ線断面図である。
【図４】本発明にかかるバックライトユニットの他の例の図３と同じ線で切断した断面図である。
【図５】本発明にかかるバックライトユニットのさらに他の例の図２と同じ線で切断した断面図である。
【図６】発明にかかるバックライトユニットのさらに他の例の図３と同じ線で切断した断面図である。
【図７】本発明にかかるバックライトユニットのさらに他の例に用いられる正面側押え部材と導光板との組付けを示す拡大断面図である。
【図８】図７に示すバックライトユニットの変形例を示す断面図である。
【図９】従来のエッジライト方式のバックライトユニットを用いた液晶表示装置の断面図である。
【図１０】図９に示すバックライトユニットのＸ―Ｘ線断面図である。
【発明を実施するための形態】
【００２６】
以下に本発明の実施形態について図面を参照して説明する。図１は本発明にかかる液晶表示装置の分解斜視図であり、図２は図１に示す液晶表示装置の断面図である。なお、図１、図２に示す液晶表示装置Ａでは、紙面上側が正面、すなわち、観察者側であり、下側が背面として説明する。また、以下において、特に記載されていない場合、図１あるいは図２の状態における正面及び背面を基準に説明する。
【００２７】
図１、図２に示すように、液晶表示装置Ａは、バックライトユニット１、液晶パネルユニット６、筐体７を備えている。液晶表示装置Ａは、バックライトユニット１及び液晶パネルユニット６が、液晶パネルユニット６が正面側となるように筐体７の内部に配置されている。
【００２８】
図１、図２に示すように、筐体７は、正面側（液晶パネルユニット側）が開口した箱状の部材であり、正面視長方形状の底部７０と、底部７０の周縁部より突出した側壁部７１とを備えている。また、筐体７は、底部７０を有する枠部材ということもできる。
【００２９】
液晶パネルユニット６は、背面側をバックライトユニット１の後述する正面側押え部材５に保持される。なお、図示は省略しているが、正面側押え部材５には、液晶パネルユニット６がずれるのを抑制するための保持部が備えられている。
【００３０】
液晶パネルユニット６は、液晶が封入された液晶パネル６１と、液晶パネル６１の前面（観察者側）及び背面（バックライト１側）に貼り付けられた偏光板６２とを有している。また、図２に示すように、液晶パネル６１は、アレイ基板６１１と、アレイ基板６１１と対向して配置された対向基板６１２と、アレイ基板と対向基板との間に充填される液晶（不図示）とを含んでいる。
【００３１】
アレイ基板６１１には、互いに直交するソース配線及びゲート配線、ソース配線及びゲート配線に接続されたスイッチング素子（例えば、薄膜トランジスタ）、スイッチング素子に接続された画素電極及び配向膜等が設けられている。そして、対向基板６１２には、赤、緑、青（ＲＧＢ）の各着色部が所定の配列で配置されたカラーフィルタ、共通電極、配向膜等が設けられている。
【００３２】
アレイ基板６１１のスイッチング素子が駆動されることで、液晶パネル６１の各画素におけるアレイ基板６１１と対向基板６１２との間に電圧が印加される。液晶パネルユニット６では、アレイ基板６１１と対向基板６１２の間の電圧を調整することで液晶を操作し、各画素を透過する光を変調している。液晶表示装置Ａでは、この光の変調を利用し、液晶パネル６１の画像表示領域に画像を表示している。
【００３３】
（第１の実施形態）
本発明の要部であるバックライトユニットについて図面を参照して説明する。バックライトユニット１は、面内で輝度が均一化された面状光を液晶パネルユニット６に照射する照明装置である。図１、図２に示すように、バックライトユニット１は、平板形状の導光板２と、導光板２の側面に形成された受光面２２に向けて光を照射する光源ユニット３と、導光板２と近接して配置された光学シート４と、導光板２及び光学シート４の周縁部を正面側から押さえる正面側押え部材５とを備えている。また、バックライトユニット１には、導光板２と筐体７の底部７０との間に、双方と接触するように配置される反射シート１１が備えられている。反射シート１１は、反射面２３から出射された光を反射し、反射面２３より導光板２に戻す役割を果たす。
【００３４】
なお、底部７０が十分に光を反射できる構成である場合、反射シート１１は省略してもよい。また、バックライトユニットＡでは、正面側押え部材５で光学シート４を押えているが、導光板２のみを押える構成であってもよい。光学シート４は、必ずしも導光板２と接触していなくてもよく、導光板２と液晶パネルユニット６の間であれば位置は限定されない。
【００３５】
導光板２は、光源ユニット３から出射された光を液晶パネルユニット６に導くための部材であり、ポリメチルメタクリレート（ＰＭＭＡ）、ポリカーボネイト等の透明な樹脂を平板形状に成形したものが用いられている。なお、これらの樹脂に限定されるものではなく、透明或いは透光性を有し、平板形状に形成することができるものを広く採用することができる。
【００３６】
図１に示すように、導光板２は、筐体７の内部に配置されたとき、液晶パネルユニット６と対向する主面が出光面２１、短手方向の両側面が光源ユニット３からの光を受光する受光面２２、出光面２１と反対側の主面が反射面２３として構成されている。導光板２は、反射面２３に立上げ部２３１を備えている。立上げ部２３１は受光面２２から入光した光を出光面２１に向けて拡散反射することで、均一化された面状光が出射されるようにしている。
【００３７】
次に、導光板２について図面を参照してさらに詳しく説明する。図３は図２に示す液晶表示装置に用いられるバックライトユニットのＩＩＩ−ＩＩＩ線断面図である。図３に示すように、立上げ部２３１はレンズ形状であり、立上げ部２３１の表面には蛍光体が塗布されている。受光面２１から入射した光が反射面２３の立上げ部２３１に当たると、出光面２１に向けて拡散反射するとともに、蛍光体によって励起され波長変換される。
【００３８】
導光板２では、出光面２１から出射される光の輝度分布を均一化できるように、立上げ部２３１の形状及び（又は）被覆率（反射面２３に対する立上げ部２３１の面積の比率）を調整している。なお、立上げ部２３１はドット形状（点状）で、外径及び厚みともに１００μｍ〜５００μｍとしている。また、立上げ部２３１として、レンズ形状に加工するものを採用しているが、これに限定されるものではなく、反射面２３に屈折率の高いインクで印刷したもの等、光の進行方向を出光面２１に向けることができるものを広く採用することができる。
【００３９】
また、導光板２の出光面２１には、凹凸形状の附形２１１が形成されている。附形２１１は、出光面２１の短手方向に伸びる断面三角形状の凸条及び凹溝を長手方向に交互に並べた形状を有しており、各凸条は三角プリズムとして作用する。また、凹溝はＶ字状の溝である。なお、凹溝は、Ｖ字状の溝に限定されるものではなく、断面台形であってもよいし、谷部が曲面状に形成されていてもよい。
【００４０】
附形２１１を通過する光は、正面方向に集光される。附形２１１の効果を詳しく説明すると次のとおりである。立上げ部２３１で出光面２１に向かって立ち上げられた光は、附形２１１を通過する。立上げ部２３１で立ち上げられた光は進行方向がばらばらであり、附形２１１を通過するとき、正面方向（液晶表示装置Ａでは液晶パネルユニット６に向かう方向）に集光される。これにより、出光面２１から出射される光の進行方向が揃い、出光面２１から出射される面状光の輝度が高くなる。なお、導光板２の出光面２１に附形２１１が形成されていることで、従来、光学シート４に含まれているプリズムシート（レンズシート）を省略することが可能であり、それだけ、製造コストを低減することができる。
【００４１】
光源ユニット３は、受光面２２と対向して配置される長尺形状のアレイ基板３０と、アレイ基板３０上に直線状に配列された複数個のＬＥＤ３１を備えている。なお、光源ユニット３では、ＬＥＤ３１は等間隔で配列されているが、部分的に間隔を変えた配列であってもよい。図２に示すように、アレイ基板３０が筐体７の側壁部７１に固定されている。このとき、ＬＥＤ３１がバックライト１の内側、すなわち、導光板２の受光面２２に対向する。これにより、ＬＥＤ３１から出射された光が、受光面２２に入射する。
【００４２】
光学シート４は、導光板２の出光面２１よりも小さい矩形状の光学シート部材を重ねた部材である。光学シート部材として、導光板２の出光面２１より出射される光を拡散する拡散シート４１と、輝度を向上する偏光反射シート（ＤＢＥＦ）４２とを備えている。なお、これら以外の光学特性を有する光学シート部材を用いる場合もある。
【００４３】
正面側押え部材５は、バックライトユニット１の導光板２の正面側に取り付けられる部材であり、筐体７の内部に収まる形状を有している。正面側押え部材５は上面に形成され液晶パネルユニット６を保持するパネル保持部５１と、下面に形成され導光板２の出光面２１の周縁部を押える導光板押え部５２と、光学シート４の正面側の周縁部を押えるシート押え部５３とを備えている。なお、正面側押え部材５は、筐体７に対して着脱可能であるとともに、図示を省略した固定部で、筐体７に固定可能となっている。この固定部は、筐体７と一体であってもよい。
【００４４】
正面側押え部材５についてさらに詳しく説明する。正面側押え部材５は、正面の中央部分に開口を有しており、この開口より導光板２の出光面２１から出射された面状光が透過する。そのため、正面側押え部材５は、液晶パネルユニット６を保持する及び導光板２、光源ユニット３及び光学シート４を押える機能に加え、面状光の照射領域を制限する光マスクとしての機能も有している。
【００４５】
図３に示すように、導光板２の出光面２１に附形２１１が形成されているので、従来の形状のパネルホルダを導光板２の出光面２１と接触するように配置すると、附形２１１の凹部と正面側押え部材５との間に隙間ができる。ＬＥＤ３１から出射された光がこの隙間から漏れる場合がある。
【００４６】
そこで本発明にかかるバックライトユニット１では、附形２１１と正面側押え部材５との隙間からの光漏れを抑えるため、正面側押え部材５の導光板押え部５２に、附形２１１と係合するような係合部５２１が形成されている。係合部５２１は、附形２１１の凸条と係合する凹部と、附形２１１の凹溝と係合する凸部とを備えている。
【００４７】
また図３に示すように、正面側押え部材５の導光板２と対向する面側は、段差となるように形成されており、その段差部分が光学シート４を押えるシート押え部５３となっている。そのため、シート押え部５３は光学シート４の厚みと同じか略同じ深さの段差である。
【００４８】
バックライトユニット１では、出光面２１と接触するように光学シート４を配置した導光板２を筐体７の内部に配置し、正面側から正面側押え部材５を取り付けている。これにより導光板押え部５２の係合部５２１が導光板２の出光面２１の附形２１１と確実に係合し、また、シート押え部５３が光学シート４と密接する。
【００４９】
このような構成の正面側押え部材５を利用することで、導光板２の出光面２１と正面側押え部材５の導光板押え部５２とが密着し、導光板２と正面側押え部材５との間に隙間が形成されるのを抑制することができる。そして、光源ユニット３のＬＥＤ３１から出射された光が、導光板２と正面側押え部材５との隙間から漏れるのを抑制し、ＬＥＤ３１から出射された光が直接バックライトユニット１の外部に照射されるのを抑制している。
【００５０】
これにより、バックライトユニット１から液晶パネルユニット６に照射される面状光の輝度むらを抑制することができる。また、漏れ光が発生しにくいのでＬＥＤ３１から出射された光の利用効率を高めることが可能である。
【００５１】
なお、本実施形態で示した正面側押え部５では、出光面２１の受光面２２と隣り合う領域を押える導光板押え部５２に係合部５２１が形成されているものとしているが、それに限定されるものではない。つまり、出光面２１の少なくとも受光面２２と隣り合う領域を押える導光板押え部５２に係合部５２１が形成されていればよく、それ以外の導光板押え部５２については、平面形状であってもよいし、係合部５２１と同様、附形２１１と係合する形状が形成されていてもよい。また、以下の各実施形態においても、特にことわらない限り同様である。
【００５２】
（第２の実施形態）
本発明にかかるバックライトユニットの他の例について図面を参照して説明する。図４は本発明にかかるバックライトユニットの他の例の図３と同じ線で切断した断面図である。図４に示すバックライトユニット１Ｂは、導光板２ｂと正面側押え部材５ｂが異なる以外は、バックライトユニット１と同じ構成を有しており、実質上同じ部分には、同じ符号を付している。また、実質上同じ部分の詳細な説明については省略する。
【００５３】
導光板２ｂの出光面２１ｂは附形２１２が形成されている。図４に示しているように、附形２１２は、レンチキュラー形状である。そして、正面側押え部材５ｂの導光板押え部５２ｂには、このレンチキュラー形状の附形２１２に嵌合するように、凹曲面を並べた形状（ここでは、逆レンチキュラー形状と称する）の係合部５２２が形成されている。
【００５４】
このように正面側押え部材５ｂ逆レンチキュラー形状の係合部５２２を備えた正面側押え部材５ｂを備えていることで、導光板２ｂと正面側押え部材５ｂとの間の隙間の発生を抑制することができる。これにより、ＬＥＤ３１から出射された光が導光板２ｂと正面側押え部材５ｂとの隙間から漏れるのを抑制することが可能である。
【００５５】
（第３の実施形態）
本発明にかかるバックライトユニットのさらに他の例について図面を参照して説明する。図５は本発明にかかるバックライトユニットのさらに他の例の図２と同じ線で切断した断面図である。図５に示すバックライトユニット１Ｃは、正面側押え部材５ｃが異なる以外は、バックライトユニット１と同じ構成を有しており、実質上同じ部分には、同じ符号を付している。また、実質上同じ部分の詳細な説明については省略する。また、バックライトユニット１Ｃでは、液晶パネルユニットの図示を省略している。
【００５６】
通常、バックライトユニットにおいて、正面側押え部材は上述の漏れ光を吸収し、面状光の輝度むらを抑制するため、光を吸収する黒色で形成されることが多い。本発明にかかるバックライトユニット１Ｃでは、導光板２と正面側押え部材５ｃとの間に隙間ができない構成であるため、漏れ光も発生しない。また、受光面２２から導光板２の内部に入射した光で出光面２１に向かって進む光のうち、受光面２２に近い部分に向かう光は、出光面２１への入射角が小さく、出光面２１から外部に出射される。
【００５７】
ＬＥＤ３１が点光源であることから、出光面２１の受光面２２に近い部分では、出光面２１への光の入射角が臨界角よりも小さくなり、出光面２１より出射してしまう場合がある。また、受光面２２から入射した光は、導光板２内部で十分に拡散されておらず、光束密度が高い、すなわち、輝度の高い光が出射されてしまう。バックライトユニット１Ｃでは、このような、出光面２１の受光面に近い部分から出射される輝度の高い光を導光板２の内部に戻すことで光の利用率を高めている。
【００５８】
このように光の利用率を高めるため、正面側押え部材５ｃは反射性が高い（ここでは、白色の）樹脂で形成されている。これにより、出光面２１の受光面２２に近い部分では、一度、出光面２１より出射した光は、正面側押え部材５ｃの係合部５２１で反射される。そして、正面側押え部材５ｃの係合部５２１と出光面２１とが接触しているので、反射された光は出光面２１から導光板２の内部に戻る。この戻ってきた光は、受光面２２から入射した光とともに、面状光を形成する光として利用される。以上のことより、バックライトユニット１Ｃでは、ＬＥＤ３１から出射された光の無駄を減らす（光利用率を高める）ことができる。
【００５９】
正面側押え部材５ｃについてさらに詳しく説明する。正面側押え部材５ｃの導光板押え部５２ｃは、導光板２の端部から長さＬの領域を覆うように形成されている、すなわち、導光板押え部５２ｃの端部から長さＬで形成されている。出光面２１の導光板押え部５２ｃと係合している部分では、出光面２１から出射した光が正面側押え部材５ｃの導光板押え部５２ｃで反射され、導光板２に戻る。このことから、導光板押え部５２ｃの長さＬは、受光面２２側の先端から、受光面２２より導光板２の内部に入射した光のうち、直接、出光面２１に入射する光の入射角が臨界角以下となる領域の先端までの長さとすることができる。このように構成することで、入光面２２の近傍から光束密度の高い光が出射されるのを抑制し、面状光の輝度むらの発生を効率よく抑える効果も有している。
【００６０】
なお、正面側押え部材５ｃとして、光の反射率が高い白色の樹脂で形成されたものを例にしているが、これに限定されるものではなく、光の反射率が高い材料で形成されたものを広く採用することが可能である。また、正面側押え部材５ｃにおいて、導光板押え部５２ｃの反射率が高ければよく、その他の部分に関しては、反射率が低くても構わない。
【００６１】
また、本実施形態に示すバックライトユニット１Ｃでは、バックライトユニット１に用いられている導光板２、すなわち、出光面２１に三角プリズム形状の附形２１１を有する導光板２を採用しているが、バックライトユニット１Ｂに用いられる導光板２ｂであってもよい。この場合、正面側押え部材５ｃとして、逆レンチキュラー形状の係合部５２２を備えているものが用いられる。
【００６２】
（第４の実施形態）
本発明にかかるバックライトユニットのさらに他の例について図面を参照して説明する。図６は本発明にかかるバックライトユニットのさらに他の例の図３と同じ線で切断した断面図である。図６に示すバックライトユニット１Ｄは、正面側押え部材５ｄが異なる以外は、バックライトユニットＡと同じ構成を有しており、実質上同じ部分には、同じ符号を付している。また、実質上同じ部分の詳細な説明については省略する。
【００６３】
図６に示すように、導光板２の出光面２１と正面側押え部材５ｄの導光板押え部５２ｄとの間に、反射率の高い反射層５４が形成されている。反射層５４が備えられていることで、従来のような光を吸収する正面側押え部材と同じ色で形成された正面側押え部材５ｄを用いても、光の利用率を高めることが可能である。また、正面側押え部材５ｄの製造に現在用いられているのと同じ材料を用いることが可能であり、設計、製造の手間を減らすことが可能である。
【００６４】
なお、反射層５４としては、導光板押え部５２ｄの表面及び（又は）導光板２の出光面２１の表面に印刷、成膜等で形成するものであってもよいし、光を反射するフィルムを配置し、そのフィルムを導光板２と正面側押え部材５ｄとで挟むようにしてもよい。
【００６５】
また、本実施形態に示すバックライトユニット１Ｄでは、バックライトユニットＡに用いられている導光板２、すなわち、出光面２１に三角プリズム形状の附形２１１を有する導光板２を用いているが、バックライトユニット１Ｂに用いられる導光板２ｂを用いてもよい。この場合、正面側押え部材５ｄとして、逆レンチキュラー形状の係合部５２２を備えているものが用いられる。
【００６６】
（第５の実施形態）
本発明にかかるバックライトユニットのさらに他の例について図面を参照して説明する。図７は本発明にかかるバックライトユニットのさらに他の例に用いられる正面側押え部材と導光板との組み付けを示す拡大断面図である。図７に示すバックライトユニット１Ｅは、正面側押え部材５ｅが異なる以外は、バックライトユニットＡと同じ構成を有しており、実質上同じ部分には、同じ符号を付している。また、実質上同じ部分の詳細な説明については省略する。
【００６７】
図７に示すように、正面側押え部材５ｅの導光板押え部５２ｅには、断面三角形状の凸条５２３が並んで配置されている。凸条５２３はウレタン等の弾性変形可能な樹脂で形成されている。また、この凸条５２３の高さＨ１は、導光板２の出光面２１の附形２１１の凹溝の深さＨ２よりも大きくなるように形成されている。さらに、隣り合う凸条５２３の間の部分には隙間が形成されており、正面側押え部材５ｅの変形しにくい部分（換言すると、固い部分）が附形２１１の凸条と接触するようになっている。そして、凸条５２３は、附形２１１の凹溝のピッチと同じピッチで配置されている。
【００６８】
このような、導光板押え部５２ｅを備えていることで、正面側押え部材５ｅで導光板２を出光面２１の周縁部を押えるとき、高さが高い凸条５２３の先端が先に附形２１１の凹溝の内部に到達する。そして、正面側押え部材５ｅをさらに導光板２に向けて押すことで、凸条５２３は変形し、附形２１１の凹溝を完全に埋める。これにより、導光板２と正面側押え部材５ｅとの間の隙間の発生を抑制することができる。このとき、附形２１１の凸条が導光板押え部５２ｅの変形しにくい部分と接触するので、導光板２と正面側押え部材５ｅとの隙間を一定或いは略一定に保つことが可能となっている。
【００６９】
このように、正面側押え部材５ｅを用いることで、例えば附形２１１の凹溝に製造上のばらつきが生じている場合でも、隙間の発生を効果的に抑制することができる。また、上述のとおり、導光板２と正面側押え部材５ｅとの隙間が変化するのを抑制できるので、バックライトユニット１Ｅより出射される面状光の品質が低下するのを抑制できる。
【００７０】
本実施形態の変形例について図面を参照して説明する。図８は図７に示すバックライトユニットの変形例を示す断面図である。図８に示すバックライトユニット１１Ｅ２では、出光面２１ｂにレンチキュラー形状の附形２１２を備えた導光板２ｂを採用している以外は、バックライトユニット１Ｅと同じであり、実質上同じ部分には同じ符号を付してある。また、実質上同じ部分の詳細な説明は省略する。
【００７１】
図８に示すように、正面側押え部材５ｅの凸条５２３の先端を、附形２１２の隣り合う凸面の間の溝の部分に挿入する。そして、正面側押え部材５ｅを導光板２ｂに向けて押し当てることで、凸条５２３がレンチキュラー形状に密着するように変形する。これにより、導光板２ｂと正面側押え部材５ｅとの間の隙間が形成されるのを抑制するので、漏れ光が発生しにくい。そして、バックライトユニット１Ｅ２は、漏れ光の発生を抑制することで、面状光の輝度むらを抑え、光の利用率を高めることが可能である。
【００７２】
なお、正面側押え部材５ｅは、プリズム形状の附形２１１を有する導光板２にも、レンチキュラー形状の附形２１２を有する導光板２ｂにも対応することが可能である。また、附形の形状がプリズム形状又はレンチキュラー形状以外の形状に対しても、柔軟に対応可能である。
【００７３】
上述の各実施形態に示すバックライトユニットでは、出光面に三角プリズム形状又はレンチキュラー形状の附形が形成されているものとしているが、これらに限定されるものではなく、出光面に直接又は反射面の立上げ部にて立ち上げられた光を正面方向に効率よく集光することができる形状を広く採用することができる。
【００７４】
上述の各実施形態において、附形として、凸条或いは凹溝を備えた構成のものとしているが、これに限定されるものではなく、例えば、四角錐形状の凸部を２次元配列しているものであってもよい。
【００７５】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００７６】
本発明にかかるバックライトユニット及びバックライトを備えた液晶表示装置は、携帯電話、携帯情報端末、タブレットＰＣ、ナビゲーション装置、ゲーム機の表示部や、家電装置の表示部として利用することが可能である。
【符号の説明】
【００７７】
１  バックライトユニット
２  導光板
２１  出光面
２１１  附形
２２  受光面
２３  反射面
２３１  立上げ部
３  光源ユニット
３０  アレイ基板
３１  ＬＥＤ（光源）
４  光学シート
４１  拡散シート
４２  偏光反射シート（ＤＢＥＦ）
５  正面側押え部材
５１  パネル保持部
５２  導光板押え部
５３  シート押え部
６  液晶パネルユニット
６１  液晶パネル
６１１  アレイ基板
６１２  対向基板
６２  偏光板
７  筐体
【図１】
2015092434.tif 000003
【図２】
2015092434.tif 000004
【図３】
2015092434.tif 000005
【図４】
2015092434.tif 000006
【図５】
2015092434.tif 000007
【図６】
2015092434.tif 000008
【図７】
2015092434.tif 000009
【図８】
2015092434.tif 000010
【図９】
2015092434.tif 000011
【図１０】
2015092434.tif 000012